(57)【要約】【課題】本発明は、固定されているボディー部と回転する回転部との間に隙間が生じにくいバルブを提供することを目的とする。【解決手段】本発明のバルブは、ボディー部と、ボディー部に対して回転する回転部とを備える。ボディー部は、一端が外部と接続される２以上の流路と、流路の他端（以下、「流路口」という）が配置された流路口配置面とを有す。回転部は、外部の回転運動に従って当該回転部を回転させる接続手段と、流路口配置面の全体または一部と対向しており、流路口配置面と接触する接触面と流路口配置面と接触しない溝とが形成された切替手段とを有す。そして、流路口配置面と接触面は、それぞれの面のどの位置の法線も回転部の回転の中心軸とほぼ一致する。また、流路口ごとに定められたボディー部に対する回転部の角度の範囲で、流路口と溝が対向する。【選択図】図２
2010112462.tif 000002
【特許請求の範囲】
【請求項１】
ボディー部と、前記ボディー部に対して回転する回転部とを備えるバルブであって、
前記ボディー部は、
一端が外部と接続される２以上の流路と、
前記流路の他端（以下、「流路口」という）が配置された流路口配置面と
を有し、
前記回転部は、
外部の回転運動に従って当該回転部を回転させる接続手段と、
前記流路口配置面の全体または一部と対向しており、前記流路口配置面と接触する接触面と前記流路口配置面と接触しない溝とが形成された切替手段と、
を有し、
前記流路口配置面と前記接触面は、それぞれの面のどの位置の法線も前記回転部の回転の中心軸とほぼ一致し、
流路口ごとに定められた前記ボディー部に対する前記回転部の角度の範囲で、流路口と溝が対向する
ことを特徴とするバルブ。
【請求項２】
請求項１記載のバルブであって、
１つの流路口が、常に溝と対向するように、前記溝部は形成され、
前記接続手段は、外部の回転体を、前記回転部の回転の中心軸の方向に移動できるように保持する
ことを特徴とするバルブ。
【請求項３】
請求項１記載のバルブであって、
前記回転部を前記ボディー部に押えつける押え手段を有している
ことを特徴とするバルブ。
【請求項４】
請求項１から３のいずれかに記載のバルブであって、
少なくとも１つの前記流路口が、所定の前記ボディー部に対する前記回転部の角度の範囲で、前記切替手段と対向しない状態となる
ことを特徴とするバルブ。
【請求項５】
請求項１から３のいずれかに記載のバルブであって、
前記切替手段は、複数の溝を有し、
少なくとも１つの前記溝が、当該バルブの外とつながっている
ことを特徴とするバルブ。
【発明の詳細な説明】
【技術分野】
【０００１】
本発明は、回転部の回転に従って流路が変更されるバルブに関する。
【背景技術】
【０００２】
機械の動作に連動させて流体を供給したり、吸引したりするためにバルブが利用されている。このようなバルブとしては、例えば特許文献１や特許文献２に開示されたロータリーバルブがある。図１は、ロータリーバルブの構造を示す図である。ロータリーバルブ９００は、固定されたハウジング９１０と回転するシャフト９２０で構成される。ハウジング９１０には流路９１２、９１４が形成されている。シャフト９２０には流路９２５が形成されている。例えば、流路９１２側に吸引ポンプをつなぎ、気体を吸引する状態としておく。また、シャフト９２０は、ロータリーバルブ９００を取り付けている機械の動作に連動して回転するように設定しておく。そうすると、流路９２５が流路９１２と流路９１４とをつないだタイミングだけ、流路９１４側から気体が吸引される。このように、ロータリーバルブでは、回転に従った流路の開閉や切替を行う。
【特許文献１】特開２００３−３４３７４６号公報
【特許文献２】特開平７−３３２５０９号公報
【発明の開示】
【発明が解決しようとする課題】
【０００３】
ロータリーバルブ９００では、ハウジング９１０の内径とシャフト９２０の外径の違いにより、ハウジング９１０とシャフト９２０との間に隙間９３０が存在する。隙間９３０は、流路９１２、９１４、９２５を流れる流体の漏れの原因となる。また、埃などが進入すると、ハウジング９１０とシャフト９２０が埃などを噛み込んでしまう恐れもある。図１に示したロータリーバルブ９００の場合、このような問題を解決するには、ハウジング９１０の内径とシャフト９２０の外径の違いをできるだけ小さくしなければならない（クリアランスを高めなければならない）。しかし、高いクリアランスを持つロータリーバルブ９００の場合、製造コストが高くなってしまう。
【０００４】
本発明は、回転運動に連動して流路の開閉や切替を行うバルブであって、固定されているボディー部と回転する回転部との間に隙間が生じにくいバルブを提供することを目的とする。
【課題を解決するための手段】
【０００５】
本発明のバルブは、ボディー部と、ボディー部に対して回転する回転部とを備える。ボディー部は、一端が外部と接続される２以上の流路と、流路の他端（以下、「流路口」という）が配置された流路口配置面とを有す。回転部は、外部の回転運動に従って当該回転部を回転させる接続手段と、流路口配置面の全体または一部と対向しており、流路口配置面と接触する接触面と流路口配置面と接触しない溝とが形成された切替手段とを有す。そして、流路口配置面と接触面は、それぞれの面のどの位置の法線も回転部の回転の中心軸とほぼ一致する。また、流路口ごとに定められたボディー部に対する回転部の角度の範囲で、流路口と溝が対向する。
【発明の効果】
【０００６】
本発明のバルブでは、流路口配置面と接触面のどの位置の法線も回転部の回転の中心軸とほぼ一致する。したがって、流路口配置面と接触面とが接触するように（隙間をなくすように）力を加えることができる。なお、流路口配置面と接触面とを接触させる力を加える方法には、吸引ポンプを利用する方法、ばね等の弾性体を利用する方法などがある。よって、流路のつなぎめでの流体の漏れや、埃などの侵入を防ぐことができる。
【発明を実施するための最良の形態】
【０００７】
以下に、本発明の実施例を説明する。なお、同じ機能を有する構成部には同じ番号を付し、重複説明を省略する。
【実施例１】
【０００８】
図２に、実施例１のバルブの構成例を示す。バルブ１００は、ボディー部１１０と、ボディー部１１０に対して回転する回転部１２０とを備える。ボディー部１１０は、一端が外部（外部の流路８１２、８１４、８１６など）と接続される３つの流路１１２、１１４、１１６と、流路１１２、１１４、１１６の他端（以下、「流路口」という）が配置された流路口配置面１１１とを有す。回転部１２０は、接続手段１２２と切替手段１２４とを有す。接続手段１２２は、外部（シャフト８２２など）の回転運動に従って回転部１２０を回転させる。切替手段１２４には、流路口配置面１１１の全体または一部と対向しており、流路口配置面１１１と接触する接触面１２６と流路口配置面１１１と接触しない溝１２８とが形成されている。そして、流路口配置面１１１と接触面１２６は、それぞれの面のどの位置の法線も回転部１２０の回転の中心軸１２７と一致する（つまり、流路口配置面１１１と接触面１２６は、回転部１２０の回転の中心軸１２７と直交する）。この例では、シャフト８２２の中心軸８２７と回転部１２０の回転の中心軸１２７とが一致している。また、流路口ごとに定められたボディー部１１０に対する回転部１２０の角度の範囲で、流路口１１２１、１１４１、１１６１と溝１２８が対向する。なお、この例では、外部の流路８１２は吸引ポンプ（図示されていない）に接続され、外部の流路８１４、８１６は機械などの吸引手段（図示されていない）に接続される。また、流路口配置面１１１や接触面１２６には、テフロン（登録商標）やナイロンなどの摩擦係数の小さい材料を用いればよい。
【０００９】
図３は、回転部１２０側からボディー部１１０を見た平面図である。実線はボディー部１１０を示しており、点線は接触面１２６と溝１２８を示しており、点線の矢印は回転部１２０の回転方向を示している。図４は、ボディー部１１０側から切替手段１２４を見た斜視図である。この例では、流路口１１２１は回転部１２０の回転の中心軸１２７上に配置され、流路口１１４１、１１６１は中心軸１２７から同じ距離に配置されている。溝１２８は、中心軸１２７近傍を中心として、角度θの範囲で扇型状に形成されている。溝１２８はこのような形状なので、流路口１１２１は常に溝１２８と対向している。つまり、常に溝１２８と対向する流路口１１２１が、吸引ポンプとつながっている。また、流路口１１４１、１１６１は、回転部１２０の回転角度によって、接触面１２６と対向するか溝１２８と対向するかが決まる。
【００１０】
図５は、回転部１２０とシャフト８２２の構造の例を示す図である。図５（Ａ）はシャフト８２２側から回転部１２０を見た平面図、図５（Ｂ）は回転部１２０のＡ−Ａ断面図、図５（Ｃ）はシャフト８２２の斜視図である。シャフト８２２は突起８２３を備えている。突起８２３は、先端が中心軸８２７上にある細い円柱と、直方体で構成されている。接続手段１２２は、突起８２３と対応した穴１２３を備えている。細い円柱の部分によって回転の中心軸が固定される。また、直方体の部分によって回転運動が伝えられる。回転部１２０は、回転の中心軸１２７の方向には、ボディー部１１０とシャフト８２２との間を移動できる。つまり、接続手段１２２は、シャフト８２２（外部の回転体）を回転部の回転の中心軸の方向には移動できるように保持している。
【００１１】
図６は、切替手段１２４の動きと流路の切替を説明するための、ボディー部１１０側から切替手段１２４を見た平面図である。実線は切替手段１２４を示している。点線は流路口１１２１、１１４１、１１６１を示している。点線の矢印は、切替手段１２４の回転方向を示している。図６（Ａ）は、溝１２８が流路口１１２１と流路口１１４１に対向している図である。図６（Ｂ）は、溝１２８が流路口１１２１のみに対向している図である。図６（Ｃ）は、溝１２８が流路口１１２１と流路口１１６１に対向している図である。このように、流路口１１２１、１１４１、１１６１ごとに定められたボディー部１１０に対する回転部１２０の角度の範囲で、流路口１１２１、１１４１、１１６１と溝１２８が対向する。この例では、３つの流路口１１２１、１１４１、１１６１を直線状に配置しているが、この配置に限定する必要は無い。流路口の配置と溝の形状によって、ボディー部１１０に対する回転部１２０の角度と、流路口の開閉（ＯＮ／ＯＦＦ）の関係を適宜決めればよい。また、適宜、流路の数も決めればよく、流路の数を３つより多くしてもよい。
【００１２】
バルブ１００の場合には、吸引ポンプとつながっている流路口１１２１が常に溝１２８と対向しているので、溝１２８内の気圧は低い状態が保たれている。また、接続手段１２２が、シャフト８２２（外部の回転体）を回転部の回転の中心軸の方向には移動できるように保持しているので、回転部１２０は、ボディー部１１０とシャフト８２２との間を移動できる。つまり、溝１２８内の気圧が低いことによって、回転部１２０はボディー部１１０側に引っ張られる。つまり、流路口配置面１１１と接触面１２６とが接触するように（隙間をなくすように）、吸引ポンプによって力を加えることができる。よって、流路のつなぎめでの流体の漏れや、埃などの侵入（侵入した埃などを噛み込んでしまうこと）を防ぐことができる。また、磨耗によって流路口配置面１１１や接触面１２６が磨り減ったとしても、接続手段１２２がシャフト８２２を回転部の回転の中心軸の方向には移動できるように保持していること、吸引ポンプによって流路口配置面１１１と接触面１２６とが接触するように力が加えられていることから、流路口配置面１１１と接触面１２６との接触は維持される。理論的には、シャフト８２２の突起８２３と接続手段１２２との間で回転運動が伝えられる間は、流路口配置面１１１と接触面１２６との接触を維持したまま動作できる。よって、バルブの長寿命化も図ることができる。なお、磨耗を低減するためには、流路口配置面１１１と接触面１２６の材質と表面処理を適宜決めればよい。
【実施例２】
【００１３】
図７に、実施例２のバルブの構成例を示す。バルブ２００は、切替手段２２４がバルブ１００と異なる。その他はバルブ１００と同じである。図８は、ボディー部１１０側から切替手段２２４を見た斜視図である。切替手段２２４は、接触面２２６のほかに、接触面２２９も備えている。溝２２８は、扇形の周の形状である。また、切替手段２２４は、流路口１１４１、１１６１と対向する位置では、一部が切り取られた形状である。つまり、流路口１１４１、１１６１は、所定のボディー部１１０に対する回転部２２０の角度の範囲で、切替手段２２４と対向しない状態となる。なお、この例でも、外部の流路８１２は吸引ポンプ（図示されていない）に接続され、外部の流路８１４、８１６は機械などの吸引手段（図示されていない）に接続される。
【００１４】
図９は、切替手段２２４の動きと流路の切替を説明するための、ボディー部１１０側から切替手段２２４を見た平面図である。実線は切替手段２２４を示している。点線は流路口１１２１、１１４１、１１６１を示している。点線の矢印は、切替手段２２４の回転方向を示している。図９（Ａ）は、溝２２８が流路口１１２１と流路口１１４１に対向している図である。流路口１１４１は、角θ１の範囲では完全に溝２２８と対向している。したがって、流路１１４は、吸引ポンプとつながった状態となる。また、流路口１１６１は、角θ２の範囲では完全に切替手段２２４と対向しないので、流路１１６の内部は外気と同じ圧力となる。つまり、流路１１４とつながった機械などの吸引手段では吸引状態（ＯＮ状態）となり、流路１１６とつながった機械などの吸引手段では吸引が停止した状態（ＯＦＦ状態）となる。図９（Ｂ）は、溝２２８が流路口１１２１のみに対向し、流路口１１４１、１１６１が接触面２２６と対向している図である。図９（Ｃ）は、溝２２８が流路口１１２１と流路口１１６１に対向している図である。流路口１１４１は、切替手段２２４と対向しないので、流路１１４の内部は外気と同じ圧力となる。図９（Ｄ）は、溝２２８が流路口１１２１のみに対向し、流路口１１４１、１１６１が接触面２２６と対向している図である。
【００１５】
バルブ２００も、吸引ポンプとつながっている流路口１１２１が常に溝１２８と対向しているので、溝２２８内の気圧は低い状態が保たれている。また、接続手段１２２が、シャフト８２２（外部の回転体）を回転部２２０の回転の中心軸２２７の方向には移動できるように保持しているので、回転部２２０は、ボディー部１１０とシャフト８２２との間を移動できる。したがって、バルブ１００と同じ効果が得られる。また、流路口が切替手段と対向しないタイミングが存在することで、所定の位置に流路口１１４１、１１６１があるときに、流路１１４、１１６内部の気圧を外気と同じにすることができる。
【００１６】
［変形例］
図１０に、実施例２の変形例の切替手段の構造例を示す。図１０（Ａ）は、ボディー部１１０側から切替手段３２４を見た斜視図である。図１０（Ｂ）は、ボディー部１１０側から切替手段３２４を見た平面図である。この変形例は、切替手段３２４のみがバルブ２００と異なる。切替手段３２４には、切り取られた部分は無い。その代わりに、溝３２９を備えている。溝３２９は、流路口１１４１、１１６１に対応する位置（円周上）であって、角θ２の範囲にある。また、切替手段３２４の外部（バルブの外）とつながっている。したがって、流路口１１４１、１１６１が溝３２９と対向するタイミングでは、流路１１４、１１６内部の気圧を外気と同じにすることができる。したがって、バルブ２００の切替手段２２４を切替手段３２４に交換した場合も、実施例２と同じ効果が得られる。
【実施例３】
【００１７】
図１１は、実施例３のバルブの構成例を示した図である。バルブ４００は、ボディー部４１０と、ボディー部４１０に対して回転する回転部４２０とを備える。ボディー部４１０は、一端が外部（外部の流路８１４、８１６など）と接続される２つの流路４１４、４１６と、流路４１４、４１６の他端（以下、「流路口」という）が配置された流路口配置面４１１とを有す。回転部４２０は、接続手段４２２と切替手段１２４とを有す。接続手段４２２は、外部（シャフト７２２など）の回転運動に従って回転部４２０を回転させる。切替手段４２４には、流路口配置面４１１と対向しており、流路口配置面４１１と接触する接触面４２６と、流路口配置面４１１と接触しない溝４２８とが形成されている。そして、流路口配置面４１１と接触面４２６は、それぞれの面のどの位置の法線も回転部４２０の回転の中心軸４２７と一致する（つまり、流路口配置面４１１と接触面４２６は、回転部４２０の回転の中心軸４２７と直交する）。この例では、シャフト７２２の中心軸７２７と回転部４２０の回転の中心軸４２７とが一致している。また、流路口ごとに定められたボディー部４１０に対する回転部４２０の角度の範囲で、流路口４１４１、４１６１と溝４２８が対向する。なお、この例では、外部の流路８１６は供給ポンプ（図示されていない）に接続され、外部の流路８１４は機械などの噴出手段（図示されていない）に接続される。
【００１８】
図１２は、ボディー部４１０側から切替手段４２４を見た斜視図である。切替手段４２４は、溝４２５、４２８、４２９と接触面４２６を有する。溝４２８と溝４２９は、ボディー部４１０に対する回転部４２０の角度が所定の範囲のときに、流路口４１４１、４１６１と対向する。溝４２５は、溝４２８と溝４２９とをつないでいる。したがって、流路４１６から供給された流体は、溝４２９、溝４２５、溝４２８を経由して流路４１４に供給される。
【００１９】
図１３はシャフトの構造を示す斜視図である。シャフト７２２は、押え部７２３と、突起８２３を備えている。押え部７２３と接続手段４２２との間には、ばね７２４が備えられている（図１１参照）。したがって、回転部４２０には、ボディー部４１０側に押されている。つまり、流路口配置面４１１と接触面４２６とが接触するように（隙間をなくすように）、押え部７２３とばね７２４が力を加えている。ばね７２４の強さは、供給ポンプの圧力を考慮して適宜決めればよい。また、ばね以外の弾性体を用いてもよい。
【００２０】
バルブ４００はこのような構造なので、バルブ１００（実施例１）と同様の効果が得られる。
【実施例４】
【００２１】
実施例１から３では、流路口配置面１１１と接触面１２６、２２６、３２６、４２６は、それぞれの面のどの位置の法線も回転部１２０、２２０、３２０、４２０の回転の中心軸１２７、２２７、３２７、４２７と一致した（つまり、流路口配置面と接触面は、平面であって、回転部の回転の中心軸と直交した）。しかし、本発明の効果を得るためには、流路口配置面と接触面が平面であることが条件ではない。本実施例では、平面で無い場合の例を説明する。
【００２２】
図１４は、実施例４のバルブの構成例を示す図である。図１４（Ａ）はバルブ５００を側面から見た図、図１４（Ｂ）はバルブ５００の側面から見た断面図である。バルブ５００は、ボディー部５１０と、ボディー部５１０に対して回転する回転部５２０とを備える。ボディー部５１０は、一端が外部（外部の流路８１２、８１４、８１６など）と接続される３つの流路５１２、５１４、５１６と、流路５１２、５１４、５１６の他端（以下、「流路口」という）が配置された流路口配置面５１１とを有す。流路口配置面５１１は、凹面となっている。回転部５２０は、接続手段１２２と切替手段５２４とを有す。接続手段１２２は、外部（シャフト８２２など）の回転運動に従って回転部５２０を回転させる。切替手段５２４には、流路口配置面５１１と対向しており、流路口配置面５１１と接触する接触面５２６と流路口配置面５１１と接触しない溝５２８とが形成されている。接触面５２６は、流路口配置面５１１と接触できるように、凸面となっている。ただし、流路口配置面５１１と接触面５２６は、それぞれの面のどの位置の法線も回転部５２０の回転の中心軸５２７とほぼ一致する（つまり、流路口配置面５１１と接触面５２６は、回転部５２０の回転の中心軸５２７とほぼ直交する）。この例では、シャフト８２２の中心軸８２７と回転部５２０の回転の中心軸５２７とが一致している。また、流路口ごとに定められたボディー部５１０に対する回転部５２０の角度の範囲で、流路口５１２１、５１４１、５１６１と溝５２８が対向する。なお、この例では、外部の流路８１２は吸引ポンプ（図示されていない）に接続され、外部の流路８１４、８１６は機械などの吸引手段（図示されていない）に接続される。
【００２３】
このような構成であっても、吸引ポンプとつながっている流路口５１２１が常に溝５２８と対向しているので、溝５２８内の気圧は低い状態が保たれる。また、接続手段１２２が、シャフト８２２（外部の回転体）を回転部５２０の回転の中心軸５２７の方向には移動できるように保持しているので、回転部５２０は、ボディー部５１０とシャフト８２２との間を移動できる。つまり、溝５２８内の気圧が低いことによって、回転部５２０はボディー部５１０側に引っ張られる。つまり、流路口配置面５１１と接触面５２６とが接触するように（隙間をなくすように）、吸引ポンプによって力を加えることができる。よって、流路のつなぎめでの流体の漏れや、埃などの侵入（侵入した埃などを噛み込んでしまうこと）を防ぐことができる。また、磨耗によって流路口配置面５１１や接触面５２６が磨り減ったとしても、接続手段１２２がシャフト８２２を回転部５２０の回転の中心軸５２７の方向には移動できるように保持していること、吸引ポンプによって流路口配置面５１１と接触面５２６とが接触するように力が加えられていることから、流路口配置面５１１と接触面５２６との接触は維持される。よって、バルブの長寿命化も図ることができる。
【００２４】
つまり、流路口配置面５１１と接触面５２６とが接触するような力を加えることができる範囲までならば、流路口配置面５１１と接触面５２６とは湾曲または屈曲していても、実施例１のバルブ１００と同様の効果が得られる。なお、上述の「流路口配置面５１１と接触面５２６は、それぞれの面のどの位置の法線も回転部５２０の回転の中心軸５２７とほぼ一致する。」という表現の「ほぼ一致」とは、流路口配置面５１１と接触面５２６とが全体的に接触するような力を加えることができる範囲までを意味する。
【００２５】
［変形例］
図１５は、実施例４の変形例のバルブの構成例を示す図である。図１５（Ａ）はバルブ５５０を側面から見た図、図１５（Ｂ）はバルブ５５０の側面から見た断面図である。バルブ５５０は、ボディー部５６０と、ボディー部５６０に対して回転する回転部５７０とを備える。ボディー部５６０は、一端が外部（外部の流路８１２、８１４、８１６など）と接続される３つの流路５６２、５６４、５６６と、流路５６２、５６４、５６６の他端（以下、「流路口」という）が配置された流路口配置面５６１とを有す。流路口配置面５６１は、環状に凹部が形成された形状となっている。回転部５７０は、接続手段１２２と切替手段５７４とを有す。接続手段１２２は、外部（シャフト８２２など）の回転運動に従って回転部５７０を回転させる。切替手段５７４には、流路口配置面５６１と対向しており、流路口配置面５６１と接触する接触面５７６と流路口配置面５６１と接触しない溝５７８とが形成されている。接触面５７６は、流路口配置面５６１と接触できるように、環状に凸部が形成された形状となっている。ただし、流路口配置面５６１と接触面５７６は、それぞれの面のどの位置の法線も回転部５７０の回転の中心軸５７７とほぼ一致する（つまり、流路口配置面５６１と接触面５７６は、回転部５７０の回転の中心軸５７７とほぼ直交する）。この例では、シャフト８２２の中心軸８２７と回転部５７０の回転の中心軸５７７とが一致している。また、流路口ごとに定められたボディー部５６０に対する回転部５７０の角度の範囲で、流路口５６２１、５６４１、５６６１と溝５７８が対向する。なお、この例では、外部の流路８１２は吸引ポンプ（図示されていない）に接続され、外部の流路８１４、８１６は機械などの吸引手段（図示されていない）に接続される。
【００２６】
このような構成であっても、バルブ１００と同様の効果が得られる。また、上述の「流路口配置面５６１と接触面５７６は、それぞれの面のどの位置の法線も回転部５７０の回転の中心軸５７７とほぼ一致する。」という表現の「ほぼ一致」とは、流路口配置面５６１と接触面５７６とが全体的に接触するような力を加えることができる範囲までを意味する。
【図面の簡単な説明】
【００２７】
【図１】ロータリーバルブの構造を示す図。
【図２】実施例１のバルブの構成例を示す図。
【図３】回転部１２０側からボディー部１１０を見た平面図。
【図４】ボディー部１１０側から切替手段１２４を見た斜視図。
【図５】回転部１２０とシャフト８２２の構造の例を示す図。
【図６】切替手段１２４の動きと流路の切替を説明するための、ボディー部１１０側から切替手段１２４を見た平面図。
【図７】実施例２のバルブの構成例を示す図。
【図８】ボディー部１１０側から切替手段２２４を見た斜視図。
【図９】切替手段２２４の動きと流路の切替を説明するための、ボディー部１１０側から切替手段２２４を見た平面図。
【図１０】実施例２の変形例の切替手段の構造例を示す図。
【図１１】実施例３のバルブの構成例を示す図。
【図１２】ボディー部４１０側から切替手段４２４を見た斜視図。
【図１３】シャフトの構造を示す斜視図。
【図１４】実施例４のバルブの構成例を示す図。
【図１５】実施例４の変形例のバルブの構成例を示す図。
【符号の説明】
【００２８】
１００、２００、４００、５００、５５０  バルブ
１１０、４１０、５１０、５６０  ボディー部
１１１、４１１、５１１、５６１  流路口配置面
１１２、１１４、１１６、４１４、４１６５１２、５１４、５１６  流路
５６２、５６４、５６６、８１２、８１４、８１６、９１２、９１４、９２５  流路
１２０、２２０、４２０、５２０、５７０  回転部
１２２、４２２  接続手段                  １２３  穴
１２４、２２４、３２４、４２４、５２４、５７４  切替手段
１２６、２２６、２２９、４２６、５２６、５７６  接触面
１２７、２２７、４２７、５２７、５７７、７２７、８２７  中心軸
１２８、２２８、３２９、４２５、４２８、４２９、５２８、５７８  溝
７２２、８２２、９２０  シャフト            ７２３  押え部
７２４  ばね                                ８２３  突起
９００  ロータリーバルブ                    ９１０  ハウジング
９３０  隙間
１１２１、１１４１、１１６１、４１４１、４１４６  流路口
５１２１、５１４１、５１６１、５６２１、５６４１、５６６１  流路口
【図１】
2010112462.tif 000003
【図２】
2010112462.tif 000004
【図３】
2010112462.tif 000005
【図４】
2010112462.tif 000006
【図５】
2010112462.tif 000007
【図６】
2010112462.tif 000008
【図７】
2010112462.tif 000009
【図８】
2010112462.tif 000010
【図９】
2010112462.tif 000011
【図１０】
2010112462.tif 000012
【図１１】
2010112462.tif 000013
【図１２】
2010112462.tif 000014
【図１３】
2010112462.tif 000015
【図１４】
2010112462.tif 000016
【図１５】
2010112462.tif 000017